(57)【要約】【課題】  壁面に取付けた平面ディスプレイを左右に向きを変える。傾斜時に取付け壁面から平面ディスプレイまでの離反距離を小さく抑制する。【解決手段】  平面ディスプレイの取付け壁面に固定されるベース１０と、前記平面ディスプレイを背面側から支持するホルダー２０と、ベース２０の正面側にホルダー２０を両側部で支持する両側１組の折曲式支持アーム３０Ａ，３０Ｂとを設ける。折曲式支持アーム３０Ａ，３０Ｂは、両端部がベース１０及びホルダー２０に回動自在に連結されると共に、中間部で折れ曲がるようにベース側の第１部材３１とホルダー側の第２部材３２とが回動自在に連結された３軸の１関節構造を採用する。両側の折曲式支持アーム３０Ａ，３０Ｂが最大角度まで折れ曲がることにより、平面ディスプレイは壁面に接近し格納される。平面ディスプレイを側方へ傾斜させるときは、接近側の折曲式支持アームが折れ、離反側の折曲式支持アームが開く。【選択図】  図１
2007065509.tif 000002
【特許請求の範囲】
【請求項１】
平面ディスプレイを取付ける壁面に固定されるベースと、前記平面ディスプレイを支持するホルダーと、ベースとホルダーの間にある１組の折曲式支持アームと前記ベースと前記折曲式支持アームの一端を連結する回転可能な第１連結部と、前記ホルダーと前記折曲式支持アームの他端を連結する回転可能な第２連結部とからなる、壁掛け式平面ディスプレイ取付装置であって、前記折曲式支持アームは前記第１連結部によって前記ベースと連結される第１アームと、前記第２連結部によって前記ホルダー連結される第２アームと、前記第１アームと前記第２アームを連結する回転可能な第３連結部と、前記第１アームの前記第３連結部側の端から前記第１アームの長さ方向に前記第３連結部より突き出た状態で前記第１アームに固定された第１当接部と、前記第２アームの前記第３連結部側の端から前記第２アームの長さ方向に前記第３連結部より突き出た状態で前記第２アームに固定された第２当接部とからなることを特徴とする壁掛け式平面ディスプレイ取付装置。
【請求項２】
前記折曲式支持アームにおいて、前記第１アームは前記第１連結部側の端に前記第１アームの長さ方向に対して９０度以上の角度方向で前記第１アームに固定された第３当接部をさらに有し、前記第２アームは前記第２連結部側の端に前記第２アームの長さ方向に対して９０度以上の角度方向で前記第２アームに固定された第４当接部とをさらに有することを特徴とする請求項１記載の壁掛け式平面ディスプレイ取付装置。
【請求項３】
両側１組の折曲式支持アームは共に外側へ折れ曲がる構成である請求項１に記載の壁掛け式平面ディスプレイ取付け装置。
【請求項４】
両側１組の折曲式支持アームは、それぞれが電動による強制折曲機構を有しており、ホルダーの傾斜角度が遠隔から調整されるように両方の強制折曲機構がリモコンにより操作される構成である請求項１に記載の壁掛け式平面ディスプレイ取付け装置。
【発明の詳細な説明】
【技術分野】
【０００１】
本発明は、液晶パネルやプラズマディスプレイパネルを用いた薄型テレビなどの平面ディスプレイを壁面へ取付けるのに使用される壁掛け式平面ディスプレイ取付け装置に関する。
【背景技術】
【０００２】
近年、テレビ機器の分野では、画面の大型化と共に、液晶パネルやプラズマディスプレイパネルを用いた薄型テレビの需要が急速に進んでいる。薄型テレビの最大の利点は大画面の場合も奥行きが大きくならず小さく抑制されることであり、この点から大型テレビの薄型化は必然と言える。
【０００３】
このような薄型テレビは、その利点を生かして、壁掛けテレビとして使用される場合が少なくなく、既に、薄型テレビを壁面に取付けるための取付け装置も各種開発され、市販されている（特許文献１乃至３参照）。
【０００４】
【特許文献１】実用新案登録３０６６６００号公報
【特許文献２】特開平１０−１７４０２１号公報
【特許文献３】特開平１１−００３０４３号公報
【０００５】
従来の取付け装置を使用して薄型テレビを壁面に取付けるときの第１の問題は、その薄型テレビを左右に向きを変える、いわゆる首振り操作ができないことである。この問題を解決するために、背後の支持軸を中心に平面ディスプレイを左右へ向きを変える１軸式の首振り構造（１軸構造）が考えられる。
【０００６】
しかし、このような１軸構造の壁掛け式平面ディスプレイ取付け装置では、平面ディスプレイが正面を向く状態で壁面から大きく離れる。平面ディスプレイの最大の特徴は厚みが薄く、壁面に取付ける場合はその壁面から突出しないことにあるが、１軸構造の平面ディスプレイ取付け装置ではこの最大の特徴が阻害されることになる。
【０００７】
この観点から、壁掛け式平面ディスプレイ取付け装置は、平面ディスプレイを左右に向きを変えないときは、壁面に密着した位置へ収納できることが求められる。加えて、向きを変えた時とは言え、平面ディスプレイが壁面から離れることはその利点を阻害することになるので、向きを変えた時にも平面ディスプレイの壁面からの離反を極力抑制できることが望まれる。
【０００８】
一方、平面ディスプレイを壁面に接近させ過ぎた場合は、左右へ向きを変えたときに平面ディスプレイの側縁部が壁面に衝突するという不都合が生じる。
【発明の開示】
【発明が解決しようとする課題】
【０００９】
本発明はかかる事情に鑑みて創案されたたものであり、その目的は、壁面に取付けた平面ディスプレイを左右に向きを変えることができるのは勿論、収納時にはその平面ディスプレイを取付け壁面に密着した位置に収納でき、向きを変えた時にも取付け壁面から平面ディスプレイまでの離間距離を小さく抑制することができる壁掛け式平面ディスプレイ取付け装置を提供することにある。
【００１０】
本発明の別の目的は、平面ディスプレイを取付け壁面にできるだけ接近させるにもかかわらず、左右に向きを変えたときの壁面との衝突を回避できる壁掛け式平面ディスプレイ取付け装置を提供することにある。
【課題を解決するための手段】
【００１１】
上記目的を達成するために、本発明にかかる壁掛け式平面ディスプレイ取付け装置は、平面ディスプレイを取付ける壁面に固定されるベースと、前記平面ディスプレイを支持するホルダーと、ベースとホルダーの間にある１組の折曲式支持アームと前記ベースと前記折曲式支持アームの一端を連結する回転可能な第１連結部と、前記ホルダーと前記折曲式支持アームの他端を連結する回転可能な第２連結部とからなる、壁掛け式平面ディスプレイ取付装置であって、前記折曲式支持アームは前記第１連結部によって前記ベースと連結される第１アームと、前記第２連結部によって前記ホルダー連結される第２アームと、前記第１アームと前記第２アームを連結する回転可能な第３連結部と、前記第１アームの前記第３連結部側の端から前記第１アームの長さ方向に前記第３連結部より突き出た状態で前記第１アームに固定された第１当接部と、前記第２アームの前記第３連結部側の端から前記第２アームの長さ方向に前記第３連結部より突き出た状態で前記第２アームに固定された第２当接部を具備している。
【００１２】
本発明にかかる壁掛け式平面ディスプレイ取付け装置においては、両側の折曲式支持アームが第１連結部、第２連結部及び第３連結部の各回転によって最大角度まで折れ曲がることにより、平面ディスプレイが壁面に接近し収納される。平面ディスプレイを左右へ向きを変えるときは、平面ディスプレイが壁面に接近する接近側の折曲式支持アームが折れ、平面ディスプレイが壁面から離反する離反側の折曲式支持アームが開く。この折れと開きの組み合わせにより、傾斜時における平面ディスプレイの壁面からの離反が最小限に抑制される。
【００１３】
しかも、折れ曲がり側の折曲式支持アームが所定角度まで折れ曲がると、ベース側の第１アームの第３連結部側の端から第１アームの長さ方向に突き出た第１当接部がホルダーに当接し、ホルダー側の第２アームの第３連結部側の端から第２アームの長さ方向に突き出た第２当接部がベースに当接する。これにより、折れ曲がり側の折曲式支持アームの過度の折れ曲がりが阻止される。その結果、傾斜した平面ディスプレイの側縁部が接近側で壁面に衝突する事態が回避される。
【００１４】
前記折曲式支持アームにおいて、前記第１アームは前記第１連結部側の端に前記第１アームの長さ方向に対して９０度以上の角度方向で前記第１アームに固定された第３当接部をさらに有し、前記第２アームは前記第２連結部側の端に前記第２アームの長さ方向に対して９０度以上の角度方向で前記第２アームに固定された第４当接部とをさらに有する構成が好ましい。この構成によると、開き側の折曲式支持アームが所定角度まで開くと、第１アームの第１連結部側の端に固定された第３当接部がベースに当接し、第２アームの第２連結部側の端に固定された第４当接部がホルダーに当接する。これにより、開き側の折曲式支持アームの過度の開きが阻止される。その結果、傾斜した平面ディスプレイの側縁部が接近側で壁面に衝突する事態がより効果的に回避される。
【００１５】
両側１組の折曲式支持アームは、外側へ折れ曲がる構成でも内側へ折れ曲がる構成でもよいが、共に外側へ折れ曲がる構成のほうが、両側の支持アームの干渉を回避でき、好ましい。また、ディスプレイの電源線などの収納の点からも外側へ折れ曲がるのが好ましい。
【００１６】
また、両側１組の折曲式支持アームは、それぞれが電動による強制折曲機構を有しており、ホルダーの傾斜角度が遠隔から調整されるように両方の強制折曲機構がリモコンにより操作される構成が好ましい。この構成により、平面ディスプレイの左右への傾斜をリモコンにより遠隔から調整することが可能になる。また、両側１組の折曲式支持アームの動作モードを予め設定しておくことにより、平面ディスプレイの向きに関係なく壁面からの離反量を最小限に抑制でき、更には前記ストッパーを用いずとも、傾斜した平面ディスプレイが壁面に衝突する事態を回避できる。
【発明の効果】
【００１７】
本発明にかかる壁掛け式平面ディスプレイ取付け装置は、中間部で折れ曲がる両側１組の折曲式支持アームの採用により、壁面に取付けた平面ディスプレイを左右に傾斜させることができる。平面ディスプレイを収納する時には、その平面ディスプレイを取付け壁面に密着した位置に収納でき、壁面からの離反を回避できる。平面ディスプレイが左右に向きを変える首振り使用時にも、平面ディスプレイの壁面からの離間距離を小さく抑制できる。
【００１８】
また、ベースに対してホルダーを左右へ向きを変えたときに、接近側では折曲式支持アームの折れ曲がり角度を規制し、離反側では折曲式支持アームの開き角度を規制する当接部を各アームに組み合わせることにより、平面ディスプレイの左右への首振り角度を規制でき、これにより壁面との衝突を防止することができる。
【発明を実施するための最良の形態】
【００１９】
以下に本発明の実施形態を図面に基づいて説明する。図１は本発明の一実施形態を示す壁掛け式平面ディスプレイ取付け装置の斜視図、図２は同壁掛け式平面ディスプレイ取付け装置の側面図、図３（ａ）（ｂ）は同壁掛け式平面ディスプレイ取付け装置の動作を示す平面図、図４は同壁掛け式平面ディスプレイ取付け装置におけるストッパーの構造及び動作を示す拡大平面図である。
【００２０】
本実施形態にかかる壁掛け式平面ディスプレイ取付け装置は、平面ディスプレイとしての液晶パネルやプラズマディスプレイパネルなどを用いた薄型テレビを壁掛け設置するのに使用される。この平面ディスプレイ取付け装置は、図１及び図２に示すように、平面ディスプレイの取付け壁面に固定される板状のベース１０と、ベース１０の表側に平行に支持される板状のホルダー２０と、ホルダー２０を支持するために、ベース１０から表側へベースに対して垂直方向に突出した両側１組の折曲式支持アーム３０Ａ，３０Ｂとを備えている。
【００２１】
ベース１０は、横に長い長方形の金属板からなり、平面ディスプレイの取付け壁面に固定するための複数のねじ孔１１を有している。ベース１０の表面には、両側１組の支持部１２Ａ、１２Ｂが、各側で上下２段に設けられている。各支持部１２は、上下一組の水平な舌状の切り出し片からなり、折曲式支持アーム３０を支持する垂直な支持軸１３の支持ブラケットを構成している。両方の折曲式支持アームを総称する場合は番号だけを記し、一方を特定する場合はＡ若しくはＢの記号を番号の後ろにつける。さらに上下に分かれている部分については、小文字のｕとｄをそれぞれつけて区別する。以下に同じである。また、折り曲げ式支持アームおよびストッパー（後述）について説明を行う場合は一方の折曲式支持アームＡについて主に説明を行い、他方の折曲式支持アームＢについての同様の説明は省略する。
【００２２】
ホルダー２０は、ベース１０とほぼ同じ大きさ・形状の金属板からなり、平面ディスプレイを支持するための複数の止め孔２１を四隅部に有している。各止め孔２１は、平面ディスプレイを掛け止めするために、大径の挿入部と、その挿入部の下部を下方へ直線状に延長した嵌合部とからなる。ホルダー２０の裏面には、両側の支持部１２Ａ、１２Ｂに対応する両側１組の支持部２２Ａ、２２Ｂが、上下の支持部１２Ａｕ、１２Ａｄ（１２Ｂについても同じ）の間に位置するように設けられている。各支持部２２は、上下一組の水平な舌状の切り出し片からなり、折曲式支持アーム３０Ａ，３０Ｂを支持する垂直な支持軸の支持ブラケットを構成している。
【００２３】
折曲式支持アーム３０Ａは、いずれも上下２段に配置されたベース側の第１アーム３１Ａｕ、３１Ａｄと、上下の第１アーム３１Ａｕ、３１Ａｄの間に位置するホルダー側の第２アーム３２Ａとを有している。上下の第１アーム３１Ａｕ、３１Ａｄは、各基端部が前記支持部１２Ａｕ、１２Ａｄに垂直な支持軸１３Ａｕ、１３Ａｄにより回動可能に連結されて、第１連結部を構成している。上下の第１アーム３１Ａｕ、３１Ａｄの各先端部は、第２アーム３２Ａの基端部と垂直な連結軸３８Ａにより回動可能に連結されて、第３連結部を構成している。第２アーム３２Ａの先端部は、前記支持部２２Ａに垂直な支持軸３９Ａにより回動自在に連結されて、第２連結部を構成している。
【００２４】
このような連結構造により、折曲式支持アーム３０Ａは中間部で外側へ折れ曲がる３軸の１関節構造となり、表側のホルダー２０を上下に傾斜させることなく、その折れ曲がり角度を両側で独立に調節することができる。そして、この両側での独立した折れ曲がり角度の調節により、ホルダー２０は両側部でベース１０までの距離を独立に調節でき、この距離調節によりベース１０に近接並行した収納位置に保持されると共に、収納位置から表側へ引き出して左右へ向きを変えることが可能となる（図３（ａ）（ｂ）参照）。
【００２５】
すなわち、両側の折曲式支持アーム３０Ａ、３０Ｂが外側へ最も折れ曲がった状態で、ホルダー２０をベース１０に最も接近させ並行させる（図３（ａ）の収納位置）。ホルダー２０を表側へ引き出し、ベース１０に対して一方の側へ向きを変えると、折曲式支持アーム３０Ａ、３０Ｂは、壁面からの離反側で折曲式支持アーム３０Ａが大きく開き、壁面への接近側では折曲式支持アーム３０Ｂが小さく開く状態になる（図３（ｂ）参照）。
【００２６】
ベース１０に対するホルダー２０の傾斜角度を規制するために、折曲式支持アーム３０Ａは上下一組のストッパー３４Ａ、３５Ａをそれぞれ装備している。上下一組のストッパー３４Ａ、３５Ａは樹脂などの平板からなり、ベース側の第１アーム３１Ａｕとホルダー側の第２アーム３２Ａとにそれぞれ組み合わされている（図２参照）。ベース側に位置する上段のストッパー３４Ａは、第１アーム３１Ａｕと共に、ベース側の支持軸１３Ａｕ及び中間の連結軸３８Ａにより軸支されており、ホルダー側に位置する下段のストッパー３５Ａは、第２アーム３２Ａと共に、中間の連結軸３８Ａ及びホルダー側の支持軸３９Ａにより軸支されている。
【００２７】
ストッパー３４Ａ、３５Ａについて更に詳しく説明すると、ベース側のストッパー３４Ａは、折曲式支持アーム３０Ａが折れ曲がったときにホルダー２０の裏面に当接するように前記中間軸３８Ａから外側へ突出した角状の当接部３４Ａａ（第１当接部）を一端部に有しており、他端部には、折曲式支持アーム３０Ａが開いたときにベース１０の表面に当接する傾斜面からなる当接部３４Ａｂ（第３当接部）を有している。
【００２８】
当接部３４Ａａをさらに詳しく説明する。第１アーム３１Ａｕのベース側から連結軸３８Ａの方向を第１アーム３１Ａｕの長さ方向とする。当接部３４Ａａは第１アーム３１Ａｕに固定され、第１アーム３１Ａｕの長さ方向に、連結軸３８Ａより突き出している。
【００２９】
同様にホルダー側のストッパー３５Ａは、折曲式支持アーム３０Ａが折れ曲がったときにベース１０の表面に当接するように前記中間軸３８Ａから外側へ突出した角状の当接部３５Ａａ（第２当接部）を一端部に有しており、他端部には、折曲式支持アーム３０Ａが開いたときにホルダー２０の裏面に当接する傾斜面からなる当接部３５Ａｂ（第４当接部）を有している。
【００３０】
当接部３５Ａａについてもホルダー２０側から連結軸３８Ａの方向を第２アーム３２の長さ方向とし、第２アーム３２に固定され、第２アーム３２の長さ方向に、連結軸３８Ａより突き出しているのは、当接部３４Ａａと同じである。
【００３１】
ベース１０に対してホルダー２０が一方の側へ向きを変えたときの状態を、図３を参照して説明する。
【００３２】
接近側では、ベース側のストッパー３４Ａの当接部３４Ａａ（第１当接部）がホルダー２０に当接すると共に、ホルダー側のストッパー３５Ａの当接部３５Ａａ（第２当接部）がベース１０に当接する。これらにより、接近側では、折曲式支持アーム３０Ａの折れ曲がり動作が制限される。
【００３３】
一方、離反側では、ベース側のストッパー３４Ｂの当接部３４Ｂｂ（第３当接部）がベース１０に当接すると共に、ホルダー側のストッパー３５Ｂの当接部３５Ｂｂ（第４当接部）がホルダー２０に当接する。これらにより、離反側では、折曲式支持アーム３０Ｂの開き動作が制限される。その結果、ホルダー２０のベース１０に対する左右方向への傾斜角度が設定最大角度（ここでは約２５度）に制限される。
【００３４】
ここで、当接部３４Ｂｂは、第１アーム３４Ｂの長さ方向に対して９０度以上の角度方向を有する切片によって構成されている。従って当接部３４Ｂｂに固定された第１アーム３４Ｂはベース１０から垂直方向まで開けない。
【００３５】
当接部３５Ｂｂについてもホルダー２０との関係は同じである。このようにすることで、折曲式アームは常に外一方向に折れるようにすることができる。左右の折曲式アーム３０Ａと３０Ｂの折れ方向をそれぞれ反対に設定することで、折曲式アームは常に外側に折れるようにすることができる。
【００３６】
次に、本実施形態にかかる壁掛け式平面ディスプレイ取付け装置の機能について、再度図４を主として参照しながら詳細に説明する。なお、図４は図３をＢ´（Ｂダッシュ）方向から見た図である。
【００３７】
平面ディスプレイ４０を取付けるべき壁面５０にベース１０を固定する。ホルダー２０に平面ディスプレイ４０を取付ける。図３（ａ）に示すように、両側の折曲式支持アーム３０Ａ，３０Ｂを最も深く折り曲げ、ホルダー２０をベース１０に接近させることにより、平面ディスプレイ４０は壁面に最も近い収納位置に平行状態で保持される。
【００３８】
この状態から平面ディスプレイ４０の右側を手前へ引き出す。これにより平面ディスプレイ４０は左側へ向きを変える。このとき、接近側である左側、すなわち閉じ側では、折曲式支持アーム３０Ａに組み合わされたストッパー３４Ａ、３５Ａの当接部３４Ａａ、３５Ａａがホルダー２０及びベース１０にそれぞれ当接する。これにより、折曲式支持アーム３０Ａの折れ曲がり動作が制限される。
【００３９】
一方、離反側である右側、すなわち開き側では、折曲式支持アーム３０Ｂに組み合わされたストッパー３４Ｂ、３５Ｂの当接部３４Ｂｂ、３５Ｂｂがベース１０及びホルダー２０にそれぞれ当接する。これにより折曲式支持アーム３０Ｂの開き動作が制限される。
【００４０】
このような接近側での折曲式支持アーム３０Ａの折れ曲がり動作の制限と、離反側での折曲式支持アーム３０Ｂの開き動作の制限との組み合わせにより、ベース１０に対するホルダー２０の傾斜角度が設定最大角度（ここでは約２５度）に制限される。また、当接部３４Ａａと３５Ａｂが、ベースとホルダーに当接することで、接近距離を規制する。そして、ホルダー２０に取付けられた平面ディスプレイ４０を左右へ向きを変えたきに接近側において、その側縁部が壁面５０に衝突する事態が回避される。
【００４１】
また、引き出し側である離反側、すなわち開き側では折曲式支持アーム３０Ｂは大きく開く。閉じ側では折曲式支持アーム３０Ａが開くとはいえ、引き出し側に比べると十分に折れ曲がっている。一方の折曲式支持アーム３０Ｂが開き、他方の折曲式支持アーム３０Ａが折れ曲がることにより、平面ディスプレイ４０が向きを変えたときの壁面５０からの離反量が平面ディスプレイ４０が壁面５０に衝突しない範囲内で最小限に抑制される。
【００４２】
こうして、本実施形態にかかる壁掛け式平面ディスプレイ取付け装置では、平面ディスプレイ４０を、壁面５０との干渉なしに例えば両側へ最大で２５度ずつ向きを変えることができ、また壁面５０に近接並行した位置に収納することもできる。また、最大傾斜角に至るまでの任意の傾斜角度で平面ディスプレイ４０を固定できる。この固定のために、両側の折曲式支持アーム３０Ａ、３０Ｂの中間関節部（折れ曲がり部）が締め付けノブ３７Ａ、３７Ｂにより任意の折れ曲がり角度に固定される。
【００４３】
なお、上記実施形態では、両側の折曲式支持アーム３０Ａ，３０Ｂは手動により折曲角度が操作されるが、これを電動で行うこともできる。この場合、平面ディスプレイ４０が傾斜したときの壁面５０からの離反量が、平面ディスプレイ４０が壁面５０に衝突しない範囲内で最小限に抑制されるように、折曲式支持アーム３０Ａ，３０Ｂの折曲動作モードを予め設定しておく。そうすることにより、平面ディスプレイ４０の傾斜操作をリモコンにより遠隔から簡単に行うことができる。
【００４４】
すなわち、使用者は単に平面ディスプレイ４０の傾斜方向を指示するだけで、傾斜角度を任意に調節することができる。しかも傾斜時の平面ディスプレイ４０の壁面５０からの離反を最小限に抑制することができ、平面ディスプレイ４０が壁面５０に衝突する事態も回避できる。
【００４５】
また両側の折曲式支持アーム３０Ａ，３０Ｂは中間部の一カ所で外側へ折れ曲がる３軸の１関節構造であるが、中間部の二カ所で外側へ折れ曲がる４軸の２関節構造でもよく、その折れ曲がり箇所は任意に選択することができる。
【００４６】
また、本実施の形態では、当接部の形状を角状として説明したが、特に角状に限定するものではない。
【００４７】
また、本実施の形態では、ストッパーは２つの当接部（たとえば３４Ａａと３４Ａｂ）を持った一体物として説明したが、特に一体物に限定するものではない。すなわち、それぞれの当接部はアームに別々に固定されていてもよい。
【図面の簡単な説明】
【００４８】
【図１】本発明の一実施形態を示す壁掛け式平面ディスプレイ取付け装置の斜視図である。
【図２】同壁掛け式平面ディスプレイ取付け装置の側面図である。
【図３】同壁掛け式平面ディスプレイ取付け装置の動作を示す平面図で、（ａ）は格納状態、（ｂ）は傾斜状態をそれぞれ示す。
【図４】同壁掛け式平面ディスプレイ取付け装置におけるストッパーの構造及び動作を示す拡大平面図である。
【符号の説明】
【００４９】
１０  ベース
２０  ホルダー
３０Ａ，３０Ｂ  折曲式支持アーム
３１  第１アーム
３２  第２アーム
３４，３５  ストッパー
３４ａ  第１当接部
３５ａ  第２当接部
３４ｂ  第３当接部
３５ｂ  第４当接部
４０  平面ディスプレイ
５０  壁面
【図１】
2007065509.tif 000003
【図２】
2007065509.tif 000004
【図３】
2007065509.tif 000005
【図４】
2007065509.tif 000006